(57)【要約】【課題】  畦シートを短時間で容易に敷設できる畦シート敷設機を提供する。【解決手段】  畦シートＳを畦の側面に敷設する畦シート敷設機１において、畦の側面下端に沿って溝を形成する溝切り板１１と、溝切り板１１の上方に配置され、畦シートロールＲを回転自在に支持するロール支持部材１５３と、このロール支持部材１５３に支持された畦シートロールＲから巻き出された畦シートＳの方向を転換し、溝の形成方向と同方向に差し向けるガイド手段１２と、溝切り板１１の一方の側壁を形成し、ガイド手段１２によって方向転換された畦シートロールＲを溝の一方の側壁に沿って案内する第一の側壁１１０ａと、溝切り板１１の他方の側壁１１０ｂを形成し、その一部を切り欠いて、ガイド手段１２よりも後方に位置する切り欠き縁部１１４が、ガイド手段１２と実質的に平行かつ第一の側壁１１０ａよりも前方に位置する第二の側壁１１０ｂとを有する。【選択図】  図1
2007236252.tif 000002
【特許請求の範囲】
【請求項１】
ロール状の畦シートを巻き出しながら畦の側面に敷設する畦シート敷設機において、
前記畦の側面下端に沿って溝を形成する溝切り板と、
前記溝切り板の上方に配置され、畦シートロールを回転自在に支持するロール支持部材と、
このロール支持部材に支持された前記畦シートロールから巻き出された畦シートの方向を転換し、前記溝の形成方向と同方向に差し向けるガイド手段と、
前記溝切り板の一方の側壁を形成し、前記ガイド手段によって方向転換された前記畦シートロールを前記溝の一方の側壁に沿って案内する第一の側壁と、
前記溝切り板の他方の側壁を形成し、その一部を切り欠いて、前記ガイド手段よりも後方に位置する切り欠き縁部が、前記ガイド手段と実質的に平行かつ前記第一の側壁よりも前方に位置する第二の側壁と、
を有することを特徴とする畦シート敷設機。
【請求項２】
前記他方の側板に、溝形成時の掘り上げた土を前記溝側に押して前記畦シートを覆土するための覆土手段を設けたことを特徴とする請求項１に記載の畦シート敷設機。
【請求項３】
前記覆土手段が、回転自在な円板体を有していることを特徴とする請求項２に記載の畦シート敷設機。
【請求項４】
前記一方の側板と前記他方の側板とを接合する接合部分がエッジ状の溝切部として形成されていることを特徴とする請求項１〜３のいずれかに記載の畦シート敷設機。
【請求項５】
前記溝切り板又は前記溝切り板の前方に、藁や草根を切断する切断手段を設けたことを特徴とする請求項１〜３のいずれかに記載の畦シート敷設機。
【発明の詳細な説明】
【技術分野】
【０００１】
本発明は、本発明は圃場に設けられた畦の側面に漏水防止用の畦シートを敷設するための畦シート敷設機に関するもので、特に、自動一輪車に取り付けて畦シートの敷設作業を容易に行うことのできる畦シート敷設機に関する。
【背景技術】
【０００２】
圃場の畦の側面に漏水防止用の畦シートを敷設する際には、畦の下端に沿って溝を形成し、この溝に畦シートの一部を差し込んで前記溝とともに畦シートを覆土している。
しかし、圃場の周囲に形成された畦に沿って手作業で溝を形成し、さらにこの溝に畦シートを敷設して覆土する作業は重労働であるうえ、畦の長さに比例して長時間労働になり、農作業従事者に極めて大きさ作業負担を強いている。このような問題は、高齢化が進む農村では特に深刻化しており、かつ、米価格の自由化にともない、コスト削減の上においても大きな課題となっている。
そのため、従来より、畦シートを簡単に畦側面に敷設することのできる畦シート敷設装置が種々提案されている（例えば、特許文献１〜５参照）。
【特許文献１】特開２０００−４１４０７号公報
【特許文献２】特開２０００−２８７５０３号公報
【特許文献３】特開平１１−２７５９０６号公報
【特許文献４】特開平１１−２７５９０５号公報
【特許文献５】特開平８−１５４４１１号公報
【０００３】
しかし、これら文献に記載の装置は、構成が複雑で価格も高く、零細な経営が多い地方の農家では容易に購入することができないという問題がある。
特許文献６に記載の畦シート敷設機は、構成もシンプルで汎用の自動一輪車に取り付けて利用することができるという点で有利であるが、例えば覆土板が必要となるなど未だ改良の余地がある。
【特許文献６】実公昭５５−２５２０３号公報
【発明の開示】
【発明が解決しようとする課題】
【０００４】
本発明は上記の課題を解決するためになされたもので、特許文献６に記載の畦シート敷設機を基本としつつ、構成をさらに簡単にして軽量化と低価格化を実現することができ、かつ、畦シートを確実かつ短時間で容易に畦側面に沿って敷設することのできる畦シート敷設機の改良を目的とする。
【課題を解決するための手段】
【０００５】
上記目的を達成するために、本発明の発明者が鋭意研究を行った結果、溝切りを行う溝切り板の合対向する二つの側板のうち、他方に所定形状の切欠きを形成することで、溝切りの際に押しのけられた掘り上げた土が前記切欠きを形成した部分で自然に溝切り板の内部に流れ込み、一方の側板と掘り上げた土とで安定的に畦シートを挟み込んだ状態で溝に畦シートを受け渡し、敷設することができることに想到した。
【０００６】
具体的には、請求項１に記載するように、ロール状の畦シートを巻き出しながら畦の側面に敷設する畦シート敷設機において、前記畦の側面下端に沿って溝を形成する溝切り板と、前記溝切り板の上方に配置され、畦シートロールを回転自在に支持するロール支持部材と、このロール支持部材に支持された前記畦シートロールから巻き出された畦シートの方向を転換し、前記溝の形成方向と同方向に差し向けるガイド手段と、前記溝切り板の一方の側壁を形成し、前記ガイド手段によって方向転換された前記畦シートロールを前記溝の一方の側面に沿って案内する第一の側壁と、前記溝切り板の他方の側壁を形成し、その一部を切り欠いて、前記ガイド手段よりも後方に位置する切り欠き縁部が、前記ガイド手段と実質的に平行かつ前記第一の側壁よりも前方に位置する第二の側壁とを有する構成としてある。
【０００７】
もちろん、本発明においても、請求項２に記載するように、前記他方の側板に、溝形成時の掘り上げた土を前記溝側に押して前記畦シートを覆土するための覆土手段を設けてもよい。
この場合、請求項３に記載するように、前記覆土手段が、回転自在な円板体を有している構成としてもよい。
また、請求項４に記載するように、前記一方の側板と前記他方の側板とを接合する接合部分をエッジ状の溝切部として形成してもよい。若しくは、請求項５に記載するように、前記溝切り板又は前記溝切り板の前方に、藁や草根を切断する切断手段を設けてもよい。
このようにすることで、藁や草根の絡み付きを防止し、長時間にわたって溝切り及び畦シートの敷設作業を軽快に行うことができる。
【発明の効果】
【０００８】
本発明によれば、掘り上げた土を畦シート側に強制的に押しやって覆土を行う覆土板が不要になり、装置全体の構成をさらに簡素化することができるばかりでなく、切欠きを形成することで材料を削減することができ、装置の軽量化とコストの削減を図ることができる。
本発明の畦シート敷設機は、構成が簡単かつ軽量であるので、農用に広く使用されている自動一輪車に取り付けて溝切りと畦シートの敷設作業を簡単かつ短時間で行うことができる。
【発明を実施するための最良の形態】
【０００９】
以下、本発明の好適な実施形態を、図面を参照しながら詳細に説明する。
図１〜図４は本発明の一実施形態にかかる畦シート敷設機の構成を説明する図で、図１は、その斜視図、図２は、その左右の側面図、図３は、その正面図及び背面図、図４はその平面図及び底面図である。
図示するように、畦シート敷設機１は、畦に溝を切り入れる平面視して略三角形状の溝切り板１１と、畦シートを巻回した畦シートロールＲを回転自在に支持するロール支持軸１３と、ロール支持軸１３と溝切り板１１とを連結する連結部材１５と、畦シートロールＲから巻き出された畦シートＳの方向を、溝切り板１１によって形成された溝と同方向に差しむけるガイド手段としてのガイドバー１２とを有している。
【００１０】
連結部材１５とロール支持軸１３とは、容易に変形しないように鋼製のパイプで形成されている。ロール支持軸１３の先端には、畦シートロールＲが脱落しないように円板状のストッパ１４が嵌め込まれ、ロール支持軸１３の先端に着脱自在に取り付けられる止めピン１４１によって、ストッパ１４がロール支持軸１３から脱落しないようになっている。
【００１１】
ロール支持軸１３と溝切り板１１とは、畦シートロールＲを的確に溝内に挿入して敷設することができるように、好適な角度関係に設定するのが好ましい。そのため、連結部材１５の下端に取付部１５２を設けて、この取付部１５２に溝切り板１１の前端部分を溶接，リベット又はボルトで取り付けるようにしている。この取付部１５２には、自動一輪車のフレームに畦シート敷設機１を取り付けるためのボルトが挿通する貫通孔１５２ａが形成されている。
なお、溝切り板１１は取付部１５２のみで取り付けられるようにしてもよいが、溝切り板１１の変形を防止するために、この実施形態では、連結部材１５の途中部位と溝切り板１１の中ほどの位置との間に架け渡された支持部材１５３によって、補強が施されている。
【００１２】
溝切り板１１は、鋼板やアルミ板，ステンレス板等の金属板から形成される。  一枚の金属板に絞り加工を施して溝切り板１１を形成してもよいし、複数の金属板を溶接，リベット締め又はボルト締めして貼り合わせ、溝切り板１１を形成してもよい。
溝切り板１１は、畦シート敷設機１の進行方向（畦シートの敷設方向）である矢印Ｘに対して、ほぼ平行に設けられた第一の側壁１１０ａと、この第一の側壁１１０ａに対して若干扇状に傾斜するように設けられた第二の側壁１１０ｂとを有している。
第一の側壁１１０ａと第二の側壁１１０ｂとが接する斜辺部分は、圃場に溝を切り込むためのエッジ部１１１として形成されている。このエッジ部１１１は、藁や草根等を切断し、これらの絡み付きによる溝切り時の抵抗を低減するために、可能な限り切刃状に形成するのが好ましい。エッジ部１１１の切り込みと溝切り板１１の矢印Ｘ方向の前進動作とによって、泥土が第二の側壁１１０ｂに沿って押しのけられ、圃場に溝が形成される。
【００１３】
ガイドバー１２は、二つの側壁１１０ａ，１１０ｂの間の空間に斜め上方から挿入され、その先端が二つの側壁１１０ａ，１１０ｂの底部１１２に固定される。ロール支持軸１３に支持された畦シートロールＲから巻き出された畦シートＳは、このガイドバー１２によって上下方向から進行方向Ｘと同方向の前後方向に転換され、溝切り板１１の後方から、溝切り板１１によって形成された溝内に繰り出される。
【００１４】
溝切り板１１を構成する二つの側壁のうち、第一の側壁１１０ａの後端縁１１３は、ガイドバー１２によって方向転換された畦シートＳの波打ちを防止しつつ平坦状に均しながら溝に受け渡すべく、ガイドバー１２よりも後方に位置している。一方、第二の側壁１１０ｂは、ガイドバー１２によって方向転換された畦シートＳをただちに覆土すべく、後方の一部を切り欠いている。好ましくは、後端縁１１４がガイドバー１２とほぼ同じ角度で傾斜し、かつ、ガイドバー１２よりも若干後方に位置するように、後方の一部を切り欠くのがよい。このようにすることで、溝形成によって掘り上げられた泥土が、方向転換直後の畦シートＳの上に自然に崩れ落ち、畦シートＳを第一の側壁１１０ａに押し付ける。そして、第一の側壁１１０ａと切り欠きとの相乗効果によって、波打ちが効果的に抑制され、溝側壁に沿った良好な状態で畦シートＳが敷設される。
【００１５】
ガイドバー１２は、一端が溝切り板１１の底部１１２に固定され、他端が連結部材１５の途中部位に設けられたブラケット１５１に、ボルトや溶接等によって固定される。このガイドバー１２の傾斜角度は、畦シートのロールＲから巻き出した畦シートＳを的確に方向転換できるものに決定される。
畦シートＳとガイドバー１２との摩擦抵抗を可能な限り小さくするために、ガイドバー１２は畦シートＳとの摩擦係数が小さいものを選択するとよい。あるいは、ガイドバー１２の両端を軸受で支持させる等して回転自在にしてもよい。また、図示の例のように、ガイドバー１２に回転自在な案内筒１２１を取り付け、この案内筒１２１の回転によって畦シートＳが繰り出されるようにしてもよい。
【００１６】
次に、上記構成の畦シート敷設機１の作用を、図５及び図６を参照しながら説明する。
この実施形態では、畦シート敷設機１は、フレーム２１に車輪２３とエンジン２０とが取り付けられ、エンジン２０の駆動力をドライブシャフト２５を介して車輪２３に伝達する市販の自動一輪車２に取り付けられて用いられる。
【００１７】
フレーム２１には、下方に突出する取付バー２４が設けられ、この取付バー２４の先端に設けられたブラケット２４ａに、取付部１５２を介して畦シート敷設機１がボルトで取り付けられる。
作業者は、エンジン２０を始動させ、ハンドル２２を持って圃場の畦に沿って自動一輪車２を前進させる。
【００１８】
図６は、畦に沿って畦シートＳが敷設される様子を示す図である。（ａ）〜（ｃ）の各図において、上段には敷設の状態を示す断面図を示し下段には、上段のＩ方向から見た平面図を示す。なお、この図においても畦シートＳの敷設方向、つまり、畦シート敷設機１の進行方向を矢印Ｘで示すものとする。
（ａ）に示すように、溝切り板１１を畦下の圃場に切り込ませ、自動一輪車２とともに矢印Ｘの方向に前進させることで、溝切り板１１を構成する第二の側壁１１０ｂによって泥土が堀り上げられ（堀り上げられた泥土を符号Ｔで示す）、溝が形成される。
【００１９】
これと同時に、ガイドバー１２によって前後方向に方向転換された畦シートＳが溝内に供給されはじめる。
（ｂ）に示すように、掘り上げられた泥土Ｔが第二の側壁１１０ｂの後端縁１１４に達すると、泥土Ｔがその自重によって溝切り板１１の内側に向かって崩れる。これにより、畦シートＳが覆土される（畦シートＳを覆土したときの泥土を符号Ｔ′で示す）と同時に、畦シートＳを溝切り板１１を構成する第一の側壁１１０ａに押し付ける。
そのため、第一の側壁１１０ａと泥土Ｔ′とにより、波打ちが効果的に抑制され、溝側壁に沿った平らな状態で畦シートＳが溝内に受け渡される。
（ｃ）に示すように、本発明の畦シート敷設機１を用いた畦シートＳの敷設は、簡単，迅速で作業者の労力負担もきわめて小さくてすみ、かつ、敷設仕上がりも良好である。
【００２０】
本発明の好適な実施形態について説明したが、本発明は上記の実施形態に限定されるものではない。
例えば、第二の側壁１１０ｂには、図７（ａ）に示すような覆土板３１（覆土手段）を取り付けてもよい。また、このような板状の覆土板の代わりに、図７（ｂ）に示すような回転自在な円板体３２を覆土手段として設けてもよい。
さらに、溝切り板１１１の前方に、藁や草根を切断し、これらの絡み付きを防止するための別体のカッターを設けてもよい。
【産業上の利用可能性】
【００２１】
本発明は、畦シートを敷設する必要のある圃場であれば、水田に限らず畑その他の農地用にも広く適用が可能である。
【図面の簡単な説明】
【００２２】
【図１】本発明の一実施形態にかかる畦シート敷設機の構成を説明する図で、その斜視図である。
【図２】図１の畦シート敷設機の左右の側面図である。
【図３】図１の畦シート敷設機の正面図及び背面図である。
【図４】図１の畦シート敷設機の平面図及び底面図である。
【図５】畦シート敷設機の作用を説明する図で、自動一輪車に畦シート敷設機を取り付けた一例を示す側面図である。
【図６】本発明の畦シート敷設機による畦シートの敷設手順を説明する図である。
【図７】覆土板を溝切り板に取り付けた一例を示す溝切り板の斜視図である。
【符号の説明】
【００２３】
１        畔シート敷設機
１１      溝切り板
１１０ａ  第一の側壁
１１０ｂ  第二の側壁
１１１    エッジ部
１１２    底部
１１３    後端縁
１１４    後端縁
１２      ガイドバー
１２１    案内筒
１３      ロール支持軸
１４      ストッパ
１４１    止めピン
１５      連結部材
１５１    ブラケット
１５２    取付部
１５２ａ  貫通孔
１５３    支持部材
Ｒ        畔シートロール
Ｓ        畔シート
【図１】
2007236252.tif 000003
【図２】
2007236252.tif 000004
【図３】
2007236252.tif 000005
【図４】
2007236252.tif 000006
【図５】
2007236252.tif 000007
【図６】
2007236252.tif 000008
【図７】
2007236252.tif 000009